(57)【要約】      （修正有）【課題】気筒休止の切換えが変速装置の全ての制御状態で円滑に実行され常にスムーズな運転ができる多気筒内燃機関の気筒休止制御装置を供する。【解決手段】車両搭載の気筒休止機構を備えた多気筒内燃機関の気筒休止制御装置において、車速センサ24と、スロットルセンサ22と、変速装置のギア段判別手段25と、車速Ｖとスロットル弁開度ＴＨをパラメータとする運転領域マップで気筒休止許可領域と気筒休止禁止領域と前記両領域間の運転切換待ち領域とを予め変速装置のギア段ごとに設定された運転領域マップを記憶し、車速Ｖとスロットル弁開度ＴＨをもとにマップ記憶手段が記憶する運転領域マップのうち前記ギア段判別手段が判別したギア段に係る運転領域マップを検索して、運転領域判定手段20が判定した運転領域に基づいて気筒休止の許可または禁止を判定する気筒休止可否判定手段20とを備えた気筒休止制御装置。【選択図】図３
2005009362.tif 000002
【特許請求の範囲】
【請求項１】
車両搭載の気筒休止機構を備えた多気筒内燃機関の気筒休止制御装置において、
車速を検出する車速センサと、
スロットル弁開度を検出するスロットルセンサと、
変速装置の使用されているギア段を判別するギア段判別手段と、
車速とスロットル弁開度をパラメータとする運転領域マップであって気筒休止許可領域と気筒休止禁止領域と前記両領域間の運転切換待ち領域とを３つの運転領域とする予め変速装置のギア段ごとに設定された運転領域マップを記憶する運転領域マップ記憶手段と、
前記車速センサが検出した車速と前記スロットルセンサが検出したスロットル弁開度をもとに前記マップ記憶手段が記憶する運転領域マップのうち前記ギア段判別手段が判別したギア段に係る運転領域マップを検索して運転領域を判定する運転領域判定手段と、
前記運転領域判定手段が判定した運転領域に基づいて気筒休止の許可または禁止を判定する気筒休止可否判定手段とを備えたことを特徴とする気筒休止制御装置。
【請求項２】
オートクルーズ中か否かを判別するオートクルーズ判別手段と、
オートクルーズ判別手段がオートクルーズ中と判別したときは前記運転領域マップ記憶手段が記憶する運転領域マップの気筒休止禁止領域を狭く設定し直す領域変更手段とを備えたことを特徴とする請求項１記載の気筒休止制御装置。
【請求項３】
燃料の供給を停止したか否かを判定する燃料停止判定手段と、
前記燃料停止判定手段が燃料の供給を停止したと判定したときは所定時間気筒休止運転への切換えを禁止する気筒休止切換禁止手段とを備えたことを特徴とする請求項１記載の気筒休止制御装置。
【請求項４】
前記所定時間は、ロックアップクラッチの係合状態に応じて変更されることを特徴とする請求項３記載の気筒休止制御装置。
【請求項５】
スロットル弁開度の変化量を算出する弁開度変化量算出手段を備え、
前記気筒休止可否判定手段は前記弁開度変化量算出手段が算出した弁開度変化量に基づき気筒休止の許可または禁止を判定することを特徴とする請求項１記載の気筒休止制御装置。
【請求項６】
車速変化量を算出する車速変化量算出手段を備え、
前記気筒休止可否判定手段は前記車速変化量算出手段が算出した車速変化量に基づき気筒休止の許可または禁止を判定することを特徴とする請求項１または請求項５記載の気筒休止制御装置。
【発明の詳細な説明】
【０００１】
【発明の属する技術分野】
本発明は、気筒休止機構を備えた多気筒内燃機関において一部の気筒の休止制御を行う気筒休止制御装置に関する。
【０００２】
【従来の技術】
従来からクルーズ走行時など低負荷運転状態において一部の気筒を休止して燃料消費量の低減を図った多気筒内燃機関が知られている。
気筒休止運転と気筒休止解除運転との間の切換えに際して内燃機関の出力変化があるとショックがあり運転者に違和感を与える。
【０００３】
そこで両運転状態の機関出力が一致する近傍でヒステリシスを設けて気筒休止切換えを行うようにしスムーズな運転ができるようにした例がある（例えば、特許文献１参照）。
【０００４】
【特許文献１】
特公昭６３−２１８１２号公報
【０００５】
【発明が解決しようとする課題】
ところで、気筒休止の切換え過渡状態において、運転者の要求トルクが一定であるにもかかわらず、機関回転数は自動変速装置の制御状態（ギア段）により大きく変動するため、気筒休止の切換え時にハンチングが発生する可能性がある。
【０００６】
円滑に切換えるため、特許文献１のようにヒステリシスを備えた切換特性に従って気筒休止の切換えを行う必要があるが、自動変速装置の全ての制御状態に適用させることは困難である。
【０００７】
本発明は、かかる点に鑑みなされたもので、その目的とする処は、気筒休止の切換えが変速装置の全ての制御状態で円滑に実行され常にスムーズな運転ができる多気筒内燃機関の気筒休止制御装置を供する点にある。
【０００８】
【課題を解決するための手段及び作用効果】
上記目的を達成するために、本請求項１記載の発明は、車両搭載の気筒休止機構を備えた多気筒内燃機関の気筒休止制御装置において、車速を検出する車速センサと、スロットル弁開度を検出するスロットルセンサと、変速装置の使用されているギア段を判別するギア段判別手段と、車速とスロットル弁開度をパラメータとする運転領域マップであって気筒休止許可領域と気筒休止禁止領域と前記両領域間の運転切換待ち領域とを３つの運転領域とする予め変速装置のギア段ごとに設定された運転領域マップを記憶する運転領域マップ記憶手段と、前記車速センサが検出した車速と前記スロットルセンサが検出したスロットル弁開度をもとに前記マップ記憶手段が記憶する運転領域マップのうち前記ギア段判別手段が判別したギア段に係る運転領域マップを検索して運転領域を判定する運転領域判定手段と、前記運転領域判定手段が判定した運転領域に基づいて気筒休止の許可または禁止を判定する気筒休止可否判定手段とを備えた気筒休止制御装置とした。
【０００９】
変速装置のギア段ごとに最適に設定された運転領域マップが記憶されており、この運転領域マップには気筒休止許可領域と気筒休止禁止領域の間にヒステリシス特性を持たせる運転切換待ち領域を備え、このギア段ごとの運転領域マップに基づき気筒休止可否判定手段がスムーズな運転が担保された場合にのみ気筒休止の切換えが行われるように判定するので、気筒休止の切換えが変速装置の全てのギア段で円滑に実行され常にスムーズな運転ができる。
【００１０】
請求項２記載の発明は、請求項１記載の気筒休止制御装置において、オートクルーズ中か否かを判別するオートクルーズ判別手段と、オートクルーズ判別手段がオートクルーズ中と判別したときは前記運転領域マップ記憶手段が記憶する運転領域マップの気筒休止禁止領域を狭く設定し直す領域変更手段とを備えたことを特徴とする。
【００１１】
オートクルーズ中は運転領域マップ記憶手段が記憶する運転領域マップの気筒休止禁止領域を狭く設定し直すので、気筒休止運転状態の継続性を向上させ、更なる燃料消費量の低減を図ることができる。
【００１２】
請求項３記載の発明は、請求項１記載の気筒休止制御装置において、燃料の供給を停止したか否かを判定する燃料停止判定手段と、前記燃料停止判定手段が燃料の供給を停止したと判定したときは所定時間気筒休止運転への切換えを禁止する気筒休止切換禁止手段とを備えたことを特徴とする。
【００１３】
減速時において燃料停止制御と同時に気筒休止の切換えが実施されると、車両挙動を伴うショックが発生するので、燃料の供給を停止したときは所定時間気筒休止運転への切換えを禁止することで、かかるショックの発生を防止することができる。
【００１４】
請求項４記載の発明は、請求項３記載の気筒休止制御装置において、前記所定時間が、ロックアップクラッチの係合状態に応じて変更されることを特徴とする。
【００１５】
クランク軸と変速機の出力軸との間に介装されるロックアップクラッチが係合していれば、燃料供給を停止した後にロックアップクラッチの係合が気筒休止の切換えと重なりショックを発生するようなことはないので、ロックアップクラッチの係合が検出できれば燃料停止後の切換え待ち時間を短くして早期に気筒休止運転へ切換えることができる。
【００１６】
請求項５記載の発明は、請求項１記載の気筒休止制御装置において、スロットル弁開度の変化量を算出する弁開度変化量算出手段を備え、前記気筒休止可否判定手段は前記弁開度変化量算出手段が算出した弁開度変化量に基づき気筒休止の許可または禁止を判定することを特徴とする。
【００１７】
スロットル弁開度の変化量に基づき気筒休止の許可または禁止を判定することで、スロットル弁開度の変化量が大きく安定しない状態で不要な気筒休止の切換えをするのを防止することができる。
【００１８】
請求項６記載の発明は、請求項１または請求項５記載の気筒休止制御装置において、車速変化量を算出する車速変化量算出手段を備え、前記気筒休止可否判定手段は前記車速変化量算出手段が算出した車速変化量に基づき気筒休止の許可または禁止を判定することを特徴とする。
【００１９】
車速変化量に基づき気筒休止の許可または禁止を判定することで、車速変化量が大きく安定しない状態で不要な気筒休止の切換えをするのを防止することができる。
【００２０】
【発明の実施の形態】
以下本発明に係る一実施の形態について図１ないし図７に基づき説明する。
図示されない自動二輪車に搭載されるＯＨＣ式４ストロークサイクル内燃機関１は、図１に図示されるように、クランク軸（図示されず）が車幅方向に指向して、車体前方の３気筒のシリンダ列（前側バンクＢｆ）と車体後方の３気筒のシリンダ列（後側バンクＢｒ）とが前後に略６０度の夾角をなした６気筒前後Ｖ型内燃機関である。
【００２１】
このようなＯＨＣ式４ストロークサイクル内燃機関１の本体は、シリンダブロック２と、該シリンダブロック２の下面に一体に装着されるクランクケース３と、該シリンダブロック２の車体前方のシリンダ列および車体後方のシリンダ列の頂端にそれぞれ一体に装着されるシリンダヘッド４，４と、該シリンダヘッド４，４の頂部をそれぞれ覆うヘッドカバー５，５とから構成されている。
【００２２】
図２は、かかる前後Ｖ型の内燃機関１を模式的に示すとともに制御系を加えた概略構成図である。
内燃機関１の前後バンクＢｆ，Ｂｒ間の空間に各バンク毎に吸気マニホールド６，６が配設され、各吸気マニホールド６，６の枝管６ａ，６ａがそれぞれ各シリンダヘッド４の吸気ポートに連結されている。
【００２３】
各吸気マニホールド６，６は集合して吸気通路７を介してエアクリーナ８に連結されている。
吸気マニホールド６の各枝管６ａには、吸気ポートに向かって燃料噴射弁９が設けられ、吸気通路７の途中にはスロットル弁１０が配設されている。
【００２４】
他方、前後バンクＢｆ，Ｂｒのシリンダヘッド４，４の前後外側には、それぞれ排気マニホールド１１Ｆ，１１Ｒが配設され、各排気マニホールド１１Ｆ，１１Ｒの枝管がそれぞれ各シリンダヘッド４の排気ポートに連結されている。
【００２５】
各排気マニホールド１１Ｆ，１１Ｒからそれぞれ独立して延出する排気管１２Ｆ，１２Ｒの途中に排気ガスの浄化を行う触媒装置１３Ｆ，１３Ｒがそれぞれ設けられている。
【００２６】
この前後バンクＢｆ，Ｂｒのうち後側バンクＢｒの動弁装置には、気筒休止機構１５が組み込まれており、気筒休止機構１５は油圧により作動して後側バンクＢｒの気筒を休止させたり、休止解除して稼動させたりする切換えを行っている。
【００２７】
後側バンクＢｒの気筒を休止させたとき前側バンクＢｆのみ稼動する部分気筒運転状態となり、後側バンクＢｒの気筒の休止を解除して前後バンクＢｆ，Ｂｒの気筒を全て稼動させたとき全気筒運転状態となる。
【００２８】
このような前後Ｖ型の内燃機関１には、その運転状態を検出する各種センサが設けられており、各センサの検出信号はコンピュータである電子制御ユニットＥＣＵ２０に入力され、処理されて種々の運転制御に供される。
【００２９】
吸気通路には、吸気絶対圧ＰＢを検出する吸気圧センサ２１，スロットル弁１０の弁開度ＴＨを検出するスロットルセンサ２２等が配設されている。
その他機関回転数ＮＥを検出する機関回転数センサ２３，車速Ｖを検出する車速センサ２４，変速装置のギア段ＳＨを検出するギア段検出手段２５等が設けられ、各検出信号がＥＣＵ２０に入力される。
【００３０】
なおスロットル弁１０は、ＥＣＵ２０により制御されるスロットル弁駆動モータ２７により駆動されるもので、電子制御スロットル弁機構が構成されている。
電子制御スロットル弁機構においては、ＥＣＵ２０がアクセルペダルの踏込み量ＡＰを検出するアクセルペダルセンサ２６からの検出信号を入力して検出した踏込み量ＡＰをもとに運転状態をみて制御信号をスロットル弁駆動モータ２７に出力してスロットル弁１０を制御している。
【００３１】
前記気筒休止機構１５の切換えの油圧を制御する電磁バルブ２８もＥＣＵ２０により運転状態をもとに制御される。
【００３２】
以上のような制御系においてＥＣＵ２０は気筒休止の許可または禁止を判定する気筒休止可否判定手段を有しており、該気筒休止可否判定手段による判定制御手順を、以下図３以降のフローチャートおよびグラフに従って説明する。
【００３３】
まず内燃機関１が、気筒休止許可領域，運転切換待ち領域，気筒休止禁止領域のいずれの運転領域にあるかを図３のフローチャートに従って判定する。
ステップ１で前回運転領域メモリＴＺｚを直前の運転領域メモリＴＺの内容で更新しておき、次のステップ２からステップ４までのステップで前記ギア段検出手段２５のデータから変速装置の現在のシフト段ＳＨを判別する。
【００３４】
シフト段ＳＨが５速ならばステップ２からステップ８に進み、４速ならばステップ３からステップ７に進み、３速ならばステップ４からステップ６に進み、１，２速ならばステップ４からステップ５に進む。
【００３５】
各ステップ５，６，７，８では、そのギア段にそれぞれ対応する気筒休止に関する運転領域マップが選択され、ステップ９，１０，１１を含めて車速Ｖとスロットル弁開度ＴＨからマップ検索されて運転領域が判定される（ステップ１２，１３，１４，１５）。
【００３６】
ステップ５，６，７，８のうち例えばステップ６のギア段が３速の場合の運転領域マップを図４に示す。
横軸を車速Ｖ，縦軸をスロットル弁開度ＴＨとした直角座標で示されたマップであり、右上がりの上下２本の上側閾ラインＴａｂ３ｈと下側閾ラインＴａｂ３ｌにより座標空間が３つの領域に仕切られている。
【００３７】
上側閾ライン（上側テーブルＴａｂ３ｈ）よりも上方が気筒休止禁止領域（ＴＺ＝１）であり、下側閾ライン（下側テーブルＴａｂ３ｌ）により下方が気筒休止許可領域（ＴＺ＝３）であり、気筒休止禁止領域と気筒休止許可領域に挟まれた上側閾ライン（上側テーブルＴａｂ３ｈ）より下方で下側閾ライン（下側テーブルＴａｂ３ｌ）により上方の領域が運転切換待ち領域（ＴＺ＝２）である。
【００３８】
気筒休止禁止領域と気筒休止許可領域との間で気筒休止の切換えが行われる場合に、間に運転切換待ち領域が介在することでヒステリシス特性を備えることになる。
【００３９】
ステップ６では、まず車速センサ２４により検出された車速Ｖからギア段が３速の同運転領域マップの上側テーブルＴａｂ３ｈと下側テーブルＴａｂ３ｌを検索してスロットル弁開度の上側閾値ｔｈｈと下側閾値ｔｈｌを求める。
【００４０】
以上はギア段が３速の場合であったが、他のギア段でも対応する運転領域マップを用いて車速Ｖからスロットル弁開度の上側閾値ｔｈｈと下側閾値ｔｈｌを求めることになる。
各ギア段の運転領域マップは、予めギア段ごとに最適に設定された上側閾ラインと下側閾ラインを持っている。
【００４１】
そして次のステップ９でスロットルセンサ２２により検出されたスロットル弁開度ＴＨが、下側閾値ｔｈｌより小さいか否かを判別し、大きければステップ１１に飛び、小さければすなわち気筒休止許可領域にあればステップ１０に進み、アクセルペダルセンサ２６により検出された踏込み量ＡＰから全閉すなわち踏込みがないか否かが判別され、全閉のときはステップ１２に進んで特別のアクセル全閉領域（ＴＺ＝４）と判定し、全閉でない踏込みがあるときにステップ１３に進んで気筒休止許可領域（ＴＺ＝３）と判定する。
【００４２】
ステップ９でスロットル弁開度ＴＨ≧下側閾値ｔｈｌと判別され、ステップ１１に飛ぶと、スロットル弁開度ＴＨが上側閾値ｔｈｈより小さいか否かが判別され、小さければすなわち下側閾値ｔｈｌ≦スロットル弁開度ＴＨ≦上側閾値ｔｈｈであればステップ１４に進んで運転切換待ち領域（ＴＺ＝２）と判定し、スロットル弁開度ＴＨ≧上側閾値ｔｈｈと判別されたときは気筒休止禁止領域（ＴＺ＝１）と判定される。
【００４３】
以上のように車速Ｖとスロットル弁開度ＴＨから各ギア段ごとの運転領域マップを検索して運転領域を判定する。
こうして判定された運転領域をもとに気筒休止の許可または禁止の可否判定を図５に示す制御手順に従って行う。
【００４４】
まず現在気筒休止運転（休筒運転）状態にあるか否かを判別し、休筒運転中ならステップ２２に進み、休筒運転でないすなわち全気筒運転（全筒運転）中ならばステップ２８に進む。
【００４５】
休筒運転中でステップ２２に進むと切換待ちタイマＴＭｃをリセットし（ＴＭｃ＝０）、先に判定された運転領域が気筒休止禁止領域（ＴＺ＝１）であるか否か判別され、気筒休止禁止領域でない（ＴＺ≠１）ならステップ５３に飛んで気筒休止を許可して休筒運転を継続可能とし、気筒休止禁止領域（ＴＺ＝１）であるとステップ２４に進んでオートクルーズ制御中か否かを判別し、オートクルーズ制御中でなければステップ５２に飛んで気筒休止禁止と判定し休筒運転を全筒運転に切り換えることになる。
【００４６】
オートクルーズ制御中ならばステップ２５に進み、運転領域マップの上側閾ライン（上側テーブルＴａｂｈ）を上方へ変位させる変位量Δｈの車速Ｖに対するテーブルＴａｂδを検索して車速Ｖから変位量Δｈを求める。
テーブルＴａｂδは、車速Ｖが高くなる程変位量Δｈは若干大きくなる。
【００４７】
そして次のステップ２６で先に求めた上側閾値ｔｈｈに上記変位量Δｈを加算した値を新たな上側閾値ｔｈｈとし、次のステップ２７でスロットル弁開度ＴＨがこの新たな上側閾値ｔｈｈより小さいか否かを判別し、小さければステップ５１に進んで気筒休止を許可して休筒運転を継続でき、大きければステップ５２に飛んで気筒休止禁止と判定する。
【００４８】
以上のようにオートクルーズ制御中は、ステップ２５，２６，２７で運転領域マップの上側閾ライン（上側テーブルＴａｂｈ）を上方へ変位させ、気筒休止禁止領域を狭く（休筒運転領域を広く）設定し直して判定しているので、気筒休止運転状態の継続性を向上させ、更なる燃料消費量の低減を図っている。
【００４９】
一方、全筒運転中でステップ２１からステップ２８に進んだときは、先に判定された運転領域が気筒休止禁止領域（ＴＺ＝１）か否かが判別され、ＴＺ≠１ならばステップ２９に進み運転領域が運転切換え待ち領域（ＴＺ＝２）か否かが判別され、ＴＺ≠２ならばステップ３０に進み運転領域が気筒休止許可領域（ＴＺ＝３）か否かが判別され、ＴＺ≠３ならばすなわちアクセル全閉領域（ＴＺ＝４）ならばステップ３９に進む。
【００５０】
気筒休止禁止領域（ＴＺ＝１）と判別されステップ２８からステップ３１に進んだときは、切換待ちタイマＴＭｃをリセットし（ＴＭｃ＝０）、ステップ５２に進み気筒休止禁止と判定する。
【００５１】
また運転切換え待ち領域（ＴＺ＝２）と判別されステップ２９からステップ３２に進んだときは、既に気筒休止の切換制御が開始しているか否かを判別し、開始しているときはステップ５３に飛んで気筒休止を許可して切換えを完了させ気筒休止をある程度は継続させる。
【００５２】
切換制御が開始していなければステップ３３に進んで切換待ちタイマＴＭｃが０か否か判別し、０ならばステップ５２に進み気筒休止禁止と判定し、０でないならばステップ５３に進んで気筒休止を許可する。
【００５３】
切換待ちタイマＴＭｃは、後記するように前回アクセル全閉領域（ＴＺ＝４）にあったときに所定時間Ｔｃにセットされる（ステップ３６）ので、アクセルペダルを放した状態からアクセルが踏込まれ運転切換え待ち領域（ＴＺ＝２）に移行してきたときに、切換待ちタイマＴＭｃがタイムアップするまでは気筒休止を許可し（ステップ５３）、タイムアップしたところで気筒休止禁止と判定する。
【００５４】
なお気筒休止禁止領域（ＴＺ＝１）から運転切換え待ち領域（ＴＺ＝２）に移行してきたときは、ステップ３１で切換待ちタイマＴＭｃはリセット（ＴＭｃ＝０）されているいるので、ステップ３３で所定時間の経過を待つまでもなく気筒休止禁止と判定され（ステップ５２）、ヒステリシス特性を示している。
【００５５】
さらに気筒休止許可領域（ＴＺ＝３）と判別されステップ３０からステップ３４に進んだときは、前回の運転領域がアクセル全閉領域（ＴＺｚ＝４）であったか否かを判別し、アクセル全閉領域であればステップ３５に進み車速安定フラグＦｖが「１」か否かが判別され、車速が安定していれば（Ｆｖ＝１）、ステップ３６に進んで切換待ちタイマＴＭｃを所定時間Ｔｃにセットして気筒休止を許可する（ステップ５３）。
【００５６】
加減速があって車速に変化があると（Ｆｖ＝０）、ステップ３５からステップ３７に進み前記切換待ちタイマＴＭｃがタイムアップするまでは気筒休止を許可する（ステップ５３）。
【００５７】
切換待ちタイマＴＭｃがタイムアップするとステップ３８に進みスロットル弁開度ＴＨの弁開度変化フラグＦｔｈが「１」か否かが判別され、弁開度が安定していれば（Ｆｔｈ＝０）、気筒休止を許可する（ステップ５３）。
しかしスロットル弁開度の変化が大きいときは（Ｆｔｈ＝１）、ステップ５２に飛んで気筒休止を禁止する。
【００５８】
すなわち前回アクセル全閉領域で加減速があっても（Ｆｖ＝０）、所定時間Ｔｃが経過するまでは気筒休止を禁止せず、また所定時間Ｔｃが経過してもスロットル弁開度の変化がある程度大きくなければ（Ｆｔｈ＝０）気筒休止を禁止しない。
【００５９】
このようにできるだけ気筒休止を禁止しないように制御して燃料消費量の低減を図り、加減速がありスロットル弁開度の変化が大きいときに気筒休止を禁止することで、安定しない状態で不要な気筒休止の切換えをするのを防止することができる。
【００６０】
なおステップ３４で前回の運転領域がアクセル全閉領域（ＴＺｚ＝４）でない場合は直接ステップ３７に進み切換待ちタイマＴＭｃがタイムアップするまで気筒休止せず（ステップ５３）、タイムアップしてもステップ３８でスロットル弁開度の変化が大きいときに（Ｆｔｈ＝１）、はじめて気筒休止を禁止する（ステップ５２）。
【００６１】
ここでステップ３５において判別している車速安定フラグＦｖの決定手順を図６に示し説明する。
まず車速Ｖの変化量ΔＶを算出し（ステップ６１）、車速Ｖが所定速度Ｖｈより小さく（ステップ６２）所定速度Ｖｌより大きい（ステップ６３）ところの所定範囲（Ｖｌ＜Ｖ＜Ｖｈ）にある場合に、車速変化量ΔＶが所定車速変化量Ｄｈより小さく（ステップ６４）所定車速変化量Ｄｌより大きい（ステップ６６）ところの所定範囲（Ｄｌ＜ΔＶ＜Ｄｈ）にあるか否かが判別され、所定範囲（Ｄｌ＜ΔＶ＜Ｄｈ）にある場合にのみ車速は安定状態にあるとして車速安定フラグＦｖに「１」を立て、それ以外は全て車速安定フラグＦｖを「０」とする。
【００６２】
車速安定フラグＦｖを「０」としたときは、前記したようにスロットル弁開度ＴＨの変化量をみて（ステップ３８）、運転状態が安定しているか否かを判別することになる。
【００６３】
そこでこのスロットル弁の弁開度変化フラグＦｔｈの決定手順を図７に示し説明する。
まずスロットル弁開度ＴＨの変化量ΔＴＨを算出し（ステップ７１）、ΔＴＨが負の値か否かすなわち弁開度変化が閉じ側か開き側かを判別する（ステップ７２）。
【００６４】
閉じ側のときはステップ７３に進み弁開度変化量ΔＴＨの絶対値｜ΔＴＨ｜が所定値Ｄｃｌより小さいか否かを判別し、小さいときはステップ７６に進み判定待ちタイマＴＭｔｈのタイムアップを判別し、大きいときはステップ７５に進んで判定待ちタイマＴＭｔｈに所定時間Ｔｔｈをセットする。
【００６５】
弁開度が開き側に変化したときは、ステップ７２からステップ７４に進んで弁開度変化量ΔＴＨの絶対値｜ΔＴＨ｜が所定値Ｄｏｐより小さいか否かを判別し、小さいときはステップ７６に進み、大きいときはステップ７５に進む。
【００６６】
すなわち弁開度変化量ΔＴＨが大きいとき（｜ΔＴＨ｜≧Ｄｃｌまたは｜ΔＴＨ｜≧Ｄｏｐ）、ステップ７６に進んで判定待ちタイマＴＭｔｈに所定時間Ｔｔｈをセットし、次いでステップ７８で弁開度変化フラグＦｔｈに「１」を立てる。
【００６７】
そして弁開度変化量ΔＴＨが安定して小さい値を示したとき（｜ΔＴＨ｜＜Ｄｃｌまたは｜ΔＴＨ｜＜Ｄｏｐ）、ステップ７６に進んで判定待ちタイマＴＭｔｈにより所定時間Ｔｔｈの経過を待ち、その間は弁開度変化フラグＦｔｈに「１」を立てたままとし（ステップ７８）、所定時間Ｔｔｈの経過を待って弁開度ＴＨの変化が落ち着いたとして弁開度変化フラグＦｔｈを「０」とする。
【００６８】
弁開度ＴＨの変化が安定したとしても直ぐに弁開度変化フラグＦｔｈを「０」とせず、所定時間Ｔｔｈの経過を待って「０」とすることで、弁開度ＴＨの変化が安定したのが一時的で再び変化するような場合に弁開度変化フラグＦｔｈを「１」のまま継続して不要な制御をさせないようにしている。
【００６９】
次に図５において前記ステップ３０で運転領域が気筒休止許可領域（ＴＺ＝３）でなく、よってアクセル全閉領域（ＴＺ＝４）と判別されてステップ３９に進んだときは、切換待ちタイマＴＭｃをリセットし（ＴＭｃ＝０）、ステップ４０に進み燃料供給を停止中か否かを燃料停止制御中フラグＦｆｃにより判別する。
【００７０】
燃料供給を停止していなければ（Ｆｆｃ＝０）、ステップ５２に飛んで気筒休止禁止と判定し、燃料供給を停止していれば（Ｆｆｃ＝１）、ステップ４１に進み休筒許可待ちタイマＴＭｆのタイムアップを判別する。
【００７１】
なお前記ステップ５２に進み気筒休止禁止と判定したときは、さらにステップ５８に進んで車速追従制御フラグＦａｃを「０」としてステップ５７に進み休筒許可待ちタイマＴＭｆに所定時間Ｔｆをセットする。
【００７２】
また休筒運転状態でステップ５１の気筒休止を許可したときも車速追従制御フラグＦａｃを「１」として（ステップ５６）、ステップ５７に進み休筒許可待ちタイマＴＭｆに所定時間Ｔｆをセットする。
【００７３】
ここに車速追従制御フラグＦａｃは、オートクルーズ制御中は車速に追従して制御する追従性を鈍く設定するため「１」を立てるもので、そのほかの運転状態では「０」とする。
【００７４】
前記したようにアクセル全閉領域（ＴＺ＝４）で燃料供給を停止していない（Ｆｆｃ＝０）ときは、ステップ４０からステップ５２に飛んで気筒休止禁止と判定し、休筒許可待ちタイマＴＭｆに所定時間Ｔｆをセットする（ステップ５７）が、燃料供給が停止されると（Ｆｆｃ＝１）、ステップ４０からステップ４１に進み休筒許可待ちタイマＴＭｆにより所定時間Ｔｆの経過を待ち、その間は気筒休止禁止を継続し（ステップ５４）、所定時間Ｔｆを経過したとき、はじめて気筒休止を許可し（ステップ５５）、車速追従制御フラグＦａｃを「０」とする（ステップ５９）。
【００７５】
すなわち燃料供給が停止されたときは、気筒休止は禁止され、気筒休止を許可する場合でも所定時間Ｔｆの経過を待って行うようにし、燃料供給停止と気筒休止許可を同時に行うことは避け、燃料供給停止と気筒休止が同時になされることで生じる車両挙動を伴うショックを未然に防止することができる。
【００７６】
なお休筒許可待ちタイマＴＭｆにセットされる所定時間Ｔｆであるが、クランク軸と変速機の出力軸との間に介装されるロックアップクラッチの係合状態に応じてこの所定時間Ｔｆを変更するようにしてもよい。
【００７７】
すなわちロックアップクラッチが係合していれば、燃料供給を停止した後にロックアップクラッチの係合が気筒休止の切換えと重なりショックを発生するようなことはないので、ロックアップクラッチの係合が検出できれば燃料停止後の切換え待ち時間を短くして早期に気筒休止運転へ切換えることができる。
ロックアップクラッチの係合状態は、クランク軸の回転数と変速機の出力軸の回転数とを比較することで検出することが可能である。
【００７８】
以上のように本実施の形態では、車速Ｖとスロットル弁開度ＴＨから各ギア段ごとの運転領域マップを検索して運転領域を判定し、判定された各ギア段ごとの運転領域をもとに気筒休止の許可または禁止の可否判定を行っているので、気筒休止の切換えが変速装置の全てのギア段で円滑に実行され常にスムーズな運転ができる。
【図面の簡単な説明】
【図１】本発明の一実施の形態の多気筒内燃機関の側面図である。
【図２】該内燃機関のシリンダヘッドを模式的に示すとともに制御系を加えた概略構成図である。
【図３】運転領域を判定する手順を示すフローチャートである。
【図４】ギア段が３速の運転領域マップを示す図である。
【図５】気筒休止可否の判定手順を示すフローチャートである。
【図６】車速安定フラグＦｖの決定手順を示すフローチャートである。
【図７】弁開度変化フラグＦｔｈの決定手順を示すフローチャートである。
【符号の説明】
１…内燃機関、２…シリンダブロック、３…クランクケース、４…シリンダヘッド、５…ヘッドカバー、６…吸気マニホールド、７…吸気通路、８…エアクリーナ、９…燃料噴射弁、１０…スロットル弁、１１Ｆ，１１Ｒ…排気マニホールド、１２Ｆ，１２Ｒ…排気管、１３Ｆ，１３Ｒ…触媒装置、
１５…気筒休止機構、２０…ＥＣＵ、２１…吸気圧センサ、２２…スロットルセンサ、２３…機関回転数センサ、２４…車速センサ、２５…ギア段検出手段、２６…アクセルペダルセンサ、２７…スロットル弁駆動モータ、２８…電磁バルブ。
【図１】
2005009362.tif 000003
【図２】
2005009362.tif 000004
【図３】
2005009362.tif 000005
【図４】
2005009362.tif 000006
【図５】
2005009362.tif 000007
【図６】
2005009362.tif 000008
【図７】
2005009362.tif 000009